(57)【要約】【課題】汚染物質を含む試料を安全、確実に採取して運搬することのできる試料採取車両を提供する。【解決手段】作業者が搭乗する作業者室２と、車外の汚染空気を吸引・ろ過し、ろ過後の清浄空気を作業者室２内へ送気してその作業者室２内を与圧する空気浄化装置１７と、作業者室２に隣接配置され、採取された試料を保管する保管室３と、保管室３に隣接配置され、採取された試料を保管前に前処理する前処理室４とを備え、作業者室２と保管室３とを第１連通孔を介して連通するとともに、この第１連通孔に、作業者室２側から保管室３側への空気の流れのみを許容する第１差圧調整弁１３を設け、かつ保管室３と車外とを第２連通孔を介して連通するとともに、この第２連通孔に、保管室３側から車外への空気の流れのみを許容する第２差圧調整弁１５を設ける。【選択図】図１
2007232438.tif 000002
【特許請求の範囲】
【請求項１】
汚染物質を含む試料を採取する車両であって、
作業者が搭乗する作業者室と、車外の汚染空気を吸引・ろ過し、ろ過後の清浄空気を前記作業者室内へ送気してその作業者室内を与圧する空気浄化装置と、前記作業者室に隣接配置され、採取された試料を保管する保管室と、前記保管室に隣接配置され、採取された試料を保管前に前処理する前処理室とを備え、
前記作業者室と前記保管室とを第１連通孔を介して連通するとともに、この第１連通孔に、前記作業者室側から前記保管室側への空気の流れのみを許容する第１差圧調整弁を設け、かつ前記保管室と車外とを第２連通孔を介して連通するとともに、この第２連通孔に、前記保管室側から前記車外への空気の流れのみを許容する第２差圧調整弁を設ける
ことを特徴とする試料採取車両。
【請求項２】
前記空気浄化装置は、汚染空気を導入する外気吸入口と、この外気吸入口を介して車外の汚染空気を吸引するブロワと、このブロワと前記外気吸入口との間の空気流通路内に配されるパーティクルフィルタおよびガスフィルタと、前記パーティクルフィルタの上流側に配される遠心分離式の集塵ダクトとを備えて構成される請求項１に記載の試料採取車両。
【請求項３】
前記保管室内には、採取された試料を冷蔵保管する冷蔵保管庫が設けられる請求項１または２に記載の試料採取車両。
【発明の詳細な説明】
【技術分野】
【０００１】
本発明は、汚染物質を含む試料を採取する試料採取車両に関するものである。
【背景技術】
【０００２】
従来、地面を汚染している有害物質の探知に関しては、例えば特許文献１に開示されているように、車両に搭載して汚染の有無およびその位置を探知するようにした汚染探知装置が知られている。
【０００３】
【特許文献１】特開２００３−６５９１０号公報
【発明の開示】
【発明が解決しようとする課題】
【０００４】
ところで、最近、汚染物質が空気中に散乱する現場において、汚染物質を含む試料を分析するために、その試料を車両等の移動体上から採取して車両内に取り込むシステムについてのニーズがある。これに対して、上記従来の汚染探知装置では、このようなニーズに十分に応えることができず、その試料採取システムの開発が待ち望まれているところである。
【０００５】
このシステムに用いられる試料採取車両の満たすべき要件としては、（１）車両内の作業者の安全を確保できる構造であること、（２）試料を安全に車両内に取り込める構造であること、（３）車両内に取り込んだ試料を安全に保管できる構造であること、等が挙げられる。
【０００６】
本発明は、このような事情に鑑みてなされたもので、汚染物質を含む試料を安全、確実に採取して運搬することのできる試料採取車両を提供することを目的とするものである。
【課題を解決するための手段】
【０００７】
前記目的を達成するために、本発明による試料採取車両は、
汚染物質を含む試料を採取する車両であって、
作業者が搭乗する作業者室と、車外の汚染空気を吸引・ろ過し、ろ過後の清浄空気を前記作業者室内へ送気してその作業者室内を与圧する空気浄化装置と、前記作業者室に隣接配置され、採取された試料を保管する保管室と、前記保管室に隣接配置され、採取された試料を保管前に前処理する前処理室とを備え、
前記作業者室と前記保管室とを第１連通孔を介して連通するとともに、この第１連通孔に、前記作業者室側から前記保管室側への空気の流れのみを許容する第１差圧調整弁を設け、かつ前記保管室と車外とを第２連通孔を介して連通するとともに、この第２連通孔に、前記保管室側から前記車外への空気の流れのみを許容する第２差圧調整弁を設ける
ことを特徴とするものである（第１発明）。
【０００８】
本発明において、前記空気浄化装置は、汚染空気を導入する外気吸入口と、この外気吸入口を介して車外の汚染空気を吸引するブロワと、このブロワと前記外気吸入口との間の空気流通路内に配されるパーティクルフィルタおよびガスフィルタと、前記パーティクルフィルタの上流側に配される遠心分離式の集塵ダクトとを備えて構成されるのが好ましい（第２発明）。
【０００９】
また、前記保管室内には、採取された試料を冷蔵保管する冷蔵保管庫が設けられるのが好ましい（第３発明）。
【発明の効果】
【００１０】
本発明の試料採取車両において、車外にある汚染物質を含む試料は、車両内から適宜手段により採取されて前処理室内に取り込まれ、この前処理室において所要の前処理が施された後、保管室内に取り込まれて保管される。この保管室は作業者室と隔離されており、また作業者室内にはブロワによって車外から取り入れられた空気が空気浄化装置にて清浄化された後に送気され、かつその送気によって作業者室が与圧されるので、作業者室内の清浄空気は、作業者室から第１連通孔を介して保管室側へ向かい、さらに保管室から第２連通孔を介して車外へ向かう流れとなる。このため、車外から保管室への汚染空気の侵入および保管室から作業者室への汚染空気の侵入を確実に防ぐことができ、作業者室内にいる作業者の安全確保を図ることができる。こうして、汚染物質を含む試料を安全、確実に採取して運搬することが可能となる。
【００１１】
前記第２発明によれば、車外から取り入れられた汚染空気中の塵埃は、パーティクルフィルタによりろ過される前に、遠心分離式の集塵ダクトにより粗塵埃が集塵されるのでパーティクルフィルタの長寿命化を図ることができる。
【００１２】
また、前記第３発明によれば、保管室内に取り込まれた汚染物質を含む試料を冷蔵保管によってより確実に隔離保管することができる。
【発明を実施するための最良の形態】
【００１３】
次に、本発明による試料採取車両の具体的な実施の形態について、図面を参照しつつ説明する。
【００１４】
図１には、本発明の一実施形態に係る試料採取車両の概略斜視図が示されている。また、図２には、本実施形態の試料採取車両を側面方向から見た部分概略断面図が、図３には、同試料採取車両を上面方向から見た部分概略断面図がそれぞれ示されている。さらに、図４には、本実施形態における空気浄化装置の構成図が示されている。
【００１５】
本実施形態の試料採取車両１は、車内空間が、作業者の搭乗する作業者室２と、この作業者室２に隣接配置される保管室３と、この保管室３に隣接配置される前処理室４とに区画形成され、前処理室４の下方に除染（消毒）区画５が設けられて構成されている。ここで、前処理室４と除染区画５とにより前処理装置６が形成されている。また、保管室３と前処理装置６とが安全キャビネットを構成する。
【００１６】
前記前処理装置６は車両の後端部に配置され、除染区画５の車外に面する側に取り入れハッチ７が設けられて、この取り入れハッチ７を開けて車外にある試料を取り入れるようにされている。なお、除染区画５への試料の取り入れは、車体の後端部に別途設けられる図示されないマジックハンド等を用いて行われ、またその試料は車外で容器内に収容・密閉された後、車内に取り込まれる。
【００１７】
こうして除染区画５に取り入れられた試料収容容器は、取り入れハッチ７を閉鎖した後、その容器外周に除染剤（消毒剤）を散布することによって除染され、この除染後に前処理室４と除染区画５との間に設けられる移送ハッチ８を開けて、適宜の移送手段によって前処理室４内に取り込まれる。この前処理室４では、保管室３での試料の検知・識別等の作業の準備作業が前処理器材等を用いて行われる。
【００１８】
前処理室４とそれに隣接する保管室３との間には移送ハッチ９が設けられ、この移送ハッチ９を通して試料が保管室３内に取り込まれるように構成されている。
【００１９】
図３に示されるように、前記保管室３は隔壁１０により車外空間から隔離されるとともに、作業者室２に対しても隔壁１１により隔離されている。そして、作業者室２と保管室３とは第１連通孔１２を介して連通するとともに、この第１連通孔１２に、作業者室２側から保管室３側への空気の流れのみを許容する第１差圧調整弁（第１リリーフ弁）１３が介挿されている。また、保管室３と車外空間とは第２連通孔１４を介して連通するとともに、この第２連通孔１４に、保管室３側から車外空間側への空気の流れのみを許容する第２差圧調整弁（第２リリーフ弁）１５が介挿されている。なお、前記保管室３内には、この保管室３内に取り込まれた試料を冷蔵保管するための冷蔵保管庫１６が配されている。
【００２０】
一方、作業者室２内には空気浄化装置１７が配されている。この空気浄化装置１７は、図４に示されているように、作業者室２の天井壁１８を貫通するように配される集塵ダクト１９と、この集塵ダクト１９の上端部に設けられる外気吸入口２０と、室内側端部に設けられるブロワ２１と、集塵ダクト１９からブロワ２１に至る空気流通路の途中に配されるパーティクルフィルタ２２、ガスフィルタ２３とを備え、ブロワ２１によって室外の汚染空気を集塵吸着して外気吸入口２０から室内側に取り入れるように構成されている。
【００２１】
前記集塵ダクト１９は遠心分離式（サイクロン式）の集塵ダクトであって、汚染空気をパーティクルフィルタ２２に導入する前に事前に粗塵埃を集塵してパーティクルフィルタ２２の長寿命化を図るために設けられており、集塵後のダストは付設のダスト排出管２４により回収され、この回収ダストは必要に応じて車外へ排出される。また、前記ガスフィルタ２３は、活性炭等によって汚染成分を物理的に吸着して汚染空気をろ過する機能を有するものである。
【００２２】
こうして、室外の汚染空気はブロワ２１により外気吸入口２０から取り入れられ、粗塵埃が集塵ダクト１９により集塵され、その後フィルタ２２，２３を通過することによってろ過され、浄化後の清浄空気がブロワ２１出口から作業者室２内に送風される。なお、車外から作業者室２内に至る空気の流れは図４において実線の矢印にて示されている。
【００２３】
前記空気浄化装置１７は、作業者室２内に与圧（大気圧に対して例えば５ｍｍＡｑ以上）をかける与圧装置の役目もしている。そして、この作業者室２内の与圧を維持するために、作業者室２と保管室３との隔壁１１に設けられる第１差圧調整弁１３のリリーフ圧が設定されている。また、保管室３は、密閉状態では作業者室２よりもやや低めで、かつ大気圧よりもやや高めの与圧に維持されており、この与圧を維持するために、保管室３と車外空間との間に設けられる第２差圧調整弁１５のリリーフ圧が設定されている。
【００２４】
このようにすることで、作業者室２→保管室３→車外空間への空気の流れを形成することができ、外気および保管室３内の汚染空気が作業者室２内へ侵入するのを防止することができ、作業者室２内で作業する作業者の安全を確保することができる。
【００２５】
本実施形態の試料採取車両１は以上のように構成されており、車外にある汚染物質を含む試料は、まず取り入れハッチ７から前処理装置６の除染区画５に取り入れられ、この除染区画５において除染された後、移送ハッチ８から前処理室４に持ち込まれて所要の前処理が施される。次いで、前処理の終了した試料は、移送ハッチ９から保管室３内に持ち込まれ、この保管室３内で、必要に応じて検知・識別作業が行われた後、その保管室３内の冷蔵保管庫１６内で冷蔵保管される。
【００２６】
前記保管室３は作業者室２と隔離されており、また作業者室２内では、ブロワ２１によって車外から外気吸入口２０を介して取り入れられた汚染空気が空気浄化装置１７にて清浄化された後に送気され、かつその送気によって作業者室２が与圧されるので、清浄空気が、作業者室２から第１連通孔１２・第１差圧調整弁１３を介して保管室３側へ向かい、さらに保管室３から第２連通孔１４・第２差圧調整弁１５を介して車外空間へ向かう流れになり、車外空間から保管室３への汚染空気の侵入および保管室３から作業者室２への汚染空気の侵入を防ぐことができ、作業者の安全確保を図ることができる。こうして、汚染物質を含む試料を安全、確実に採取して運搬する機能を備えた車両を提供することができる。
【図面の簡単な説明】
【００２７】
【図１】本発明の一実施形態に係る試料採取車両の概略斜視図
【図２】本実施形態の試料採取車両を側面方向から見た部分概略断面図
【図３】本実施形態の試料採取車両を上面方向から見た部分概略断面図
【図４】本実施形態における空気浄化装置の構成図
【符号の説明】
【００２８】
１          試料採取車両
２          作業者室
３          保管室
４          前処理室
５          除染区画
１０，１１  隔壁
１２        第１連通孔
１３        第１差圧調整弁
１４        第２連通孔
１５        第２差圧調整弁
１６        冷蔵保管庫
１７        空気浄化装置
１９        集塵ダクト
２０        外気吸入口
２１        ブロワ
２２        パーティクルフィルタ
２３        ガスフィルタ
【図１】
2007232438.tif 000003
【図２】
2007232438.tif 000004
【図３】
2007232438.tif 000005
【図４】
2007232438.tif 000006